(57)【要約】【課題】音声ディフィート時のショック音をなくすことを目的とする。【解決手段】ＩＩＣ信号ライン２を通して可変可能な音量制御レジスタ５を有しかつ音声信号ライン１から入力される音声信号３を制御する音声制御用ＩＣ４と、この音声制御用ＩＣ４から出力される音声信号６が入力されるとともにスピーカ９に音声信号８を出力しかつ音量を決定するボリューム端子１０を有する音声出力用ＩＣ７とを備え、前記音声出力用ＩＣ７のボリューム端子１０を音声出力のディフィートをＯＮ、ＯＦＦするためのトランジスタ１３を介してアースに接続し、かつ音声出力のディフィート時に音声出力用ＩＣのボリューム端子１０に所定の電圧を印加する抵抗１１、１２を接続した。【選択図】　図１
2004088403.tif 000002
【特許請求の範囲】
【請求項１】
ＩＩＣ信号ラインを通して可変可能な音量制御レジスタを有しかつ音声信号ラインから入力される音声信号を制御する音声制御部と、この音声制御部から出力される音声信号が入力されるとともにスピーカに音声信号を出力しかつ音量を決定するボリューム端子を有する音声出力部とを備え、前記音声出力部のボリューム端子を音声出力のディフィートをＯＮ、ＯＦＦするためのトランジスタを介してアースに接続し、かつ音声出力のディフィート時に音声出力部のボリューム端子に所定の電圧を印加する抵抗を接続した音声ディフィート装置。
【請求項２】
ＩＩＣ信号ラインを通して可変可能な音量制御レジスタを有しかつ音声信号ラインから入力される音声信号を制御する音声制御部と、この音声制御部から出力される音声信号が入力されるとともにスピーカに音声信号を出力しかつ音量を決定するボリューム端子を有する音声出力部とを備え、前記音声制御部の音量制御レジスタを音声出力のディフィート時に値が０とならないように構成した音声ディフィート装置。
【請求項３】
音声制御部の音量制御レジスタの値を段階的に小さくするように構成した請求項２に記載の音声ディフィート装置。
【発明の詳細な説明】
【０００１】
【発明の属する技術分野】
本発明は、テレビジョン受信機などにおける音声ディフィート装置に関する。
【０００２】
【従来の技術】
従来、この種の音声ディフィート装置では、特開昭６１−２６５９７８号公報に示すように、トランジスタのスイッチング機能を用いて、音声アンプの出力信号、あるいは音声アンプＩＣのボリューム端子をアースに落とすことで、音声出力をディフィートしていた。
【０００３】
【発明が解決しようとする課題】
しかしながら、従来の構成ではトランジスタ回路を用いて、音声ディフィート時には音声アンプＩＣのボリューム端子をアースに落とすため、ショック音が発生するという問題があった。
【０００４】
本発明はこのような課題を解決するもので、音声ディフィート時のショック音をなくすことを目的とする。
【０００５】
【課題を解決するための手段】
この課題を解決するために本発明は、音声制御部から出力される音声信号が入力されるとともにスピーカに音声信号を出力しかつ音量を決定するボリューム端子を有する音声出力部を備え、音声出力部のボリューム端子を音声出力のディフィートをＯＮ、ＯＦＦするためのトランジスタを介してアースに接続し、かつ音声出力のディフィート時に音声出力部のボリューム端子に所定の電圧を印加する抵抗を接続したもので、音声信号の過渡的なショック音を改善し、ボツ音を削減することができる。
【０００６】
【発明の実施の形態】
すなわち、本発明の請求項１に記載の発明は、ＩＩＣ信号ラインを通して可変可能な音量制御レジスタを有しかつ音声信号ラインから入力される音声信号を制御する音声制御部と、この音声制御部から出力される音声信号が入力されるとともにスピーカに音声信号を出力しかつ音量を決定するボリューム端子を有する音声出力部とを備え、前記音声出力部のボリューム端子を音声出力のディフィートをＯＮ、ＯＦＦするためのトランジスタを介してアースに接続し、かつ音声出力のディフィート時に音声出力部のボリューム端子に所定の電圧を印加する抵抗を接続したものである。
【０００７】
また、請求項２に記載の発明は、ＩＩＣ信号ラインを通して可変可能な音量制御レジスタを有しかつ音声信号ラインから入力される音声信号を制御する音声制御部と、この音声制御部から出力される音声信号が入力されるとともにスピーカに音声信号を出力しかつ音量を決定するボリューム端子を有する音声出力部とを備え、前記音声制御部の音量制御レジスタを音声出力のディフィート時に値が０とならないように構成したものである。
【０００８】
また、請求項３に記載の発明は、請求項２において、音声制御部の音量制御レジスタの値を段階的に小さくするように構成したものである。
【０００９】
以下、本発明の一実施の形態による音声ディフィート装置について、図１〜図３を用いて説明する。
【００１０】
図１は本発明の一実施の形態による音声ディフィート装置のブロック構成図であり、図１において１は音声信号ライン、２はＩＩＣ信号ライン、３は音声信号ライン１を介して入力される音声信号、４は音声信号３を制御する音声制御部としての音声制御用ＩＣ、５は音声制御用ＩＣ４に内蔵されているＩＩＣ信号ライン２で可変できる音量制御レジスタ、６は音声制御用ＩＣ４から出力される音声信号、７は音声信号６が入力される音声出力部としての音声出力用ＩＣ、８は音声出力用ＩＣ７から出力される音声信号、９は音声信号８が入力されるスピーカ、１０は音声出力用ＩＣ７の音量を決定するボリューム端子、１１は電源とボリューム端子１０の間に接続した抵抗、１２はボリューム端子１０と音声出力のディフィートをＯＮ、ＯＦＦするトランジスタ１３の間に接続した抵抗で、音声出力用ＩＣ７のボリューム端子１０はトランジスタ１３を介してアースに接続され、かつ音声出力のディフィート時に抵抗１１、１２によりボリューム端子１０に所定の電圧が印加される。１４はトランジスタ１３のポート制御を行なう端子である。
【００１１】
この図１の回路において、電源をＯＦＦする際に端子１４をハイレベルとしてトランジスタ１３をＯＮすることで、トランジスタ１３のコレクタがアースに接続される。ここで、抵抗１１と抵抗１２の分割比で音声出力用ＩＣ７のボリューム端子１０の電圧が決定されるが、スピーカ９から聞こえない音量となるように抵抗１２を抵抗１１よりも相対的に小さい分割比としており、この設定により、音声出力用ＩＣ７のボリューム端子１０のＤＣ電源電圧が最小とならないことにより、音声信号の過渡的なショック音を改善し、ボツ音を削減することができる。
【００１２】
また図１に示す本発明の構成において、音声制御用ＩＣ４に内蔵されている音量制御レジスタ５は、ＩＩＣ信号ライン２を介して外部から音量制御が可能である。具体的には、音量制御レジスタ５が５ビットの可変範囲の場合、０から６３までの６４ステップで音量が可変でき、その可変量に応じて、音声信号６の出力レベルが変化する。
【００１３】
すなわち、音声ディフィートをかける場合、図２に示すように、０から６３ステップの可変範囲の最小値である０まで小さくしなくとも、スピーカ９から音声が実際に聞こえないレベルとなる。これを利用することで、音声ディフィート時には音量制御レジスタ５の設定を最小の０ではなく、スピーカ９から実際に音が聞こえない設定値にすることにより、過渡的なショック音を改善することで、ボツ音を削減できる。
【００１４】
さらに、本発明において、図３に示すように音量制御レジスタ５の値を段階的に小さくするように制御してもよい。すなわち、図３に示すタイミングで音声ディフィートが発生した場合、まず、最初に音声制御用ＩＣ４に内蔵されている音量制御レジスタ５にＩＩＣ信号ラインを介して、音量を一度に設定すべきレベルまで落とさずに、現在の設定レベルと設定すべきレベルの間となるように制御を行ない、その後で図２に示す設定すべきレベルまで落とすように段階的にレベルを可変することにより、ショック音を改善することが可能である。
【００１５】
【発明の効果】
以上のように、本発明の音声ディフィート装置によれば、音声出力部のボリューム端子のＤＣ電源電圧を最小としない、また、音声制御用ＩＣの音量制御レジスタを最小にしない制御を行なうことにより、過渡的なショック音を改善し、ボツ音を削減することができる。
【図面の簡単な説明】
【図１】本発明の一実施の形態による音声ディフィート装置のブロック構成図
【図２】音声信号出力と音量制御レジスタの音量可変ステップの関係を示す概略図
【図３】音声ディフィート時のボツ音削減のためのタイミング図
【符号の説明】
１　音声信号ライン
２　ＩＩＣ信号ライン
３、６、８　音声信号
４　音声制御用ＩＣ
５　音量制御レジスタ
７　音声出力用ＩＣ
９　スピーカ
１０　ボリューム端子
１１、１２　抵抗
１３　トランジスタ
【図１】
2004088403.tif 000003
【図２】
2004088403.tif 000004
【図３】
2004088403.tif 000005